【手続補正書】
【提出日】平成21年8月25日(2009.8.25)
【手続補正１】
【補正対象書類名】特許請求の範囲
【補正対象項目名】全文
【補正方法】変更
【補正の内容】
【特許請求の範囲】
【請求項１】
遊技球が流下する遊技領域と、その遊技領域を流下する遊技球が入球する入口と、その入口へ入球した遊技球の通過を検出する通過検出手段とを備え、その通過検出手段により前記入口を通過する遊技球が検出されると、所定の遊技価値が付与される遊技機において、
前記入口と遊技領域との間に所定空間を有して形成され、前記遊技領域から流入した遊技球を収容する収容部と、
その収容部の前記遊技領域側の開口を開閉すると共に、前記収容部の前記開口を閉鎖する閉姿勢において前記遊技球の流下方向の上流側で且つ前記収容部の前記開口を開放する開姿勢において前記収容部の所定空間内に位置する開閉上流部と、その開閉上流部より前記閉姿勢において前記流下方向の下流側に位置する開閉下流部とを有し、前記開姿勢となると、前記開閉上流部が前記収容部の所定空間内に位置すると共に前記開閉下流部が前記遊技領域に突出し、前記閉姿勢となると、前記開閉上流部および開閉下流部の前記入口へ遊技球を案内する案内面が前記遊技領域側に位置する開閉部材と、
その開閉部材を回転可能に支持する回転軸と、
その回転軸を中心として前記開閉部材を第１方向に駆動させて前記開姿勢にすると共に、前記回転軸を中心として前記開閉部材を反第１方向に駆動させて前記閉姿勢にする駆動手段と、
その駆動手段の駆動制御を行う駆動制御手段とを備え、
その駆動制御手段は、前記開閉部材が前記反第１方向に駆動する場合に、その駆動速度または駆動方向の少なくとも一方を変化させる速度制御手段を備えていることを特徴とする遊技機。
【請求項２】
前記速度制御手段は、前記開閉部材が前記反第１方向に駆動する場合に、前記入口に遊技球が案内される傾斜位置から前記入口に遊技球が案内されない傾斜位置まで前記開閉部材が駆動した後、その開閉部材の駆動を少なくとも１回以上停止させるものであることを特徴とする請求項１記載の遊技機。
【請求項３】
前記速度制御手段は、前記開閉部材が前記反第１方向に駆動する間に、その開閉部材の前記第１方向への駆動を少なくとも１回以上行わせるものであり、
その開閉部材の第１方向へ駆動される距離は、前記開閉部材が前記開姿勢から前記反第１方向に駆動した距離より短いことを特徴とする請求項１又は２に記載の遊技機。
【請求項４】
前記速度制御手段により前記開閉部材の駆動速度または駆動方向の少なくとも一方が変化させられる範囲は、前記開姿勢から閉姿勢への全範囲より短い範囲で構成されていることを特徴とする請求項１から３のいずれかに記載の遊技機。
【手続補正２】
【補正対象書類名】明細書
【補正対象項目名】０００３
【補正方法】変更
【補正の内容】
【０００３】
この大当たりが発生すると、特定の入口に付随する１枚扉が所定回数開閉動作して、多くの賞球が払い出される。１枚扉の開閉動作は、下端が回転軸となり、上端が遊技領域側（特定の入口とは反対側）に回動して行われる。また、１枚扉と特定の入口との間には、球を収容する収容空間が設けられており、１枚扉が開姿勢となると、その１枚扉により遊技領域を流下する球が受け止められ、収容空間内に球が流入する。収容空間に流入された球は、特定の入口方向へ誘導され、特定の入口に入球した球の通過が球検出センサにより検出されると、賞球が払い出される。１枚扉は、開姿勢の状態で所定数（例えば１０個）の球の通過が球検出センサにより検出されると閉姿勢となり（１枚扉の１回の開閉動作で１ラウンド）、この１枚扉の開閉動作が所定回数（例えば１６ラウンド）行われると、大当たりが終了する。
【手続補正３】
【補正対象書類名】明細書
【補正対象項目名】０００４
【補正方法】変更
【補正の内容】
【０００４】
上述したパチンコ機は、１枚扉は下端を回転軸として上端が遊技領域側に回動して開姿勢となるので、１枚扉が閉姿勢に回動する際には、その１枚扉と収容空間の遊技領域側の開口との間で、収容空間に流入する球を挟んでしまうこともある。１枚扉と収容空間の開口との間に球が挟まると、１枚扉が閉姿勢に回動したにも関わらず、収容空間の開口が閉鎖されないので、必要以上の球が入球してしまうことがあった。
【手続補正４】
【補正対象書類名】明細書
【補正対象項目名】０００５
【補正方法】変更
【補正の内容】
【０００５】
また、１枚扉が遊技領域側に回動して所定数の球の通過が球検出センサにより検出されると、１枚扉が開姿勢から閉姿勢に回動するが、所定数の最後の球（例えば１０個目の球）が球検出センサにより検出されるとき、既に収容空間内に球が収容されていることがある。そのため、１枚扉の１回の開閉動作で必要以上の球が入球してしまうことがあった。
【手続補正５】
【補正対象書類名】明細書
【補正対象項目名】０００６
【補正方法】変更
【補正の内容】
【０００６】
さらに、１枚扉が閉姿勢に回動するタイミングで流下する球を受け止めると、その衝突の力が１枚扉を開姿勢にする方向に作用するので、１枚扉が閉姿勢となるまでの時間が長引くこともある。よって、１枚扉の開姿勢の状態が長くなるので、１枚扉に衝突した最後の球を収容空間に誘導するだけでなく、さらに球が収容空間に収容され易くなってしまい、必要以上の球が入球してしまうことがあった。
【手続補正６】
【補正対象書類名】明細書
【補正対象項目名】０００７
【補正方法】変更
【補正の内容】
【０００７】
一般的に、パチンコ機は、遊技領域に打ち込まれた発射数および遊技者に払い出される賞球数などの各条件に基づいて予め大当たりの抽選確率などの仕様が設定されているので、賞球の払出数が最も多くなる大当たり時の賞球数にばらつきが大きいと、抽選確率を設定する際に参照された条件と、実際に遊技された場合の条件とが異なってしまう。よって、１枚扉を付随した入口に入球する球数にばらつきが大きいと、予め定めた仕様とは異なる意図しない仕様のパチンコ機となり易いという問題点があった。
【手続補正７】
【補正対象書類名】明細書
【補正対象項目名】０００８
【補正方法】変更
【補正の内容】
【０００８】
本発明は、上記例示した問題点等を解決するためになされたものであり、扉式の入口に入球する遊技球数のばらつきを抑えることができる遊技機を提供することを目的としている。
【手続補正８】
【補正対象書類名】明細書
【補正対象項目名】０００９
【補正方法】変更
【補正の内容】
【０００９】
この目的を達成するために請求項１記載の遊技機は、遊技球が流下する遊技領域と、その遊技領域を流下する遊技球が入球する入口と、その入口へ入球した遊技球の通過を検出する通過検出手段とを備え、その通過検出手段により前記入口を通過する遊技球が検出されると、所定の遊技価値が付与されるものであり、前記入口と遊技領域との間に所定空間を有して形成され、前記遊技領域から流入した遊技球を収容する収容部と、その収容部の前記遊技領域側の開口を開閉すると共に、前記収容部の前記開口を閉鎖する閉姿勢において前記遊技球の流下方向の上流側で且つ前記収容部の前記開口を開放する開姿勢において前記収容部の所定空間内に位置する開閉上流部と、その開閉上流部より前記閉姿勢において前記流下方向の下流側に位置する開閉下流部とを有し、前記開姿勢となると、前記開閉上流部が前記収容部の所定空間内に位置すると共に前記開閉下流部が前記遊技領域に突出し、前記閉姿勢となると、前記開閉上流部および開閉下流部の前記入口へ遊技球を案内する案内面が前記遊技領域側に位置する開閉部材と、その開閉部材を回転可能に支持する回転軸と、その回転軸を中心として前記開閉部材を第１方向に駆動させて前記開姿勢にすると共に、前記回転軸を中心として前記開閉部材を反第１方向に駆動させて前記閉姿勢にする駆動手段と、その駆動手段の駆動制御を行う駆動制御手段とを備え、その駆動制御手段は、前記開閉部材が前記反第１方向に駆動する場合に、その駆動速度または駆動方向の少なくとも一方を変化させる速度制御手段を備えている。
【手続補正９】
【補正対象書類名】明細書
【補正対象項目名】００１１
【補正方法】変更
【補正の内容】
【００１１】
請求項２記載の遊技機は、請求項１記載の遊技機において、前記速度制御手段は、前記開閉部材が前記反第１方向に駆動する場合に、前記入口に遊技球が案内される傾斜位置から前記入口に遊技球が案内されない傾斜位置まで前記開閉部材が駆動した後、その開閉部材の駆動を少なくとも１回以上停止させるものである。
【手続補正１０】
【補正対象書類名】明細書
【補正対象項目名】００１４
【補正方法】変更
【補正の内容】
【００１４】
請求項１記載の遊技機によれば、遊技領域に打ち込まれた遊技球が入口に入球し、その入球した遊技球が通過検出手段により検出されると、所定の遊技価値が付与される。収容部の開口は、開閉部材により開閉され、その開閉部材は、駆動制御手段によって駆動手段が制御され回転軸が第１方向に駆動されると開姿勢となり、駆動手段が制御され回転軸が反第１方向に駆動されると閉姿勢となる。また、開閉部材は、開閉上流部と開閉下流部とを有しており、開姿勢となると、開閉上流部が収容部の所定空間内に位置すると共に開閉下流が遊技領域に位置するので、開閉部材が開姿勢となった場合には、遊技領域を流下する遊技球が開閉下流部により受け止められ、その受け止められた遊技球が開閉上流部を通り入口へ案内され入球がなされる。また、開閉部材が閉姿勢となると、開閉上流部および開閉下流部の案内面が遊技領域側に位置するので、開姿勢から閉姿勢に回動する際に開閉上流部を通過している未入球の遊技球を収容部から遊技領域に排出することができる。従って、必要な遊技球の通過が検出手段により検出された場合に開閉部材を閉姿勢へ回動させることで、必要以上の遊技球が入口に入球することを抑制することができる。さらに、開閉部材が反第１方向に駆動する場合には、速度制御手段により制御され、開閉部材が第１方向に駆動する場合の駆動速度または駆動方向の少なくとも一方を変化させることができる。ここで、例えば、開閉部材が反第１方向に駆動する駆動速度が所定速度より速い場合には、その反第１方向へ駆動する際に遊技球が跳ねたりばたつくことが考えられ、その遊技球がばたつくことによって開閉上流部と収容部の開口との間に遊技球を挟んでしまうことがある。開閉上流部と収容部の開口との間に遊技球を挟んでしまうと、開閉部材が閉姿勢の位置まで回動できず収容部の開口が開放されたままの状態となり、必要以上の遊技球が収容部に流入して必要以上の遊技球が入口に入球し易くなってしまう。しかし、本遊技機によれば、開閉部材を反第１方向に駆動する駆動速度を遅くもできるので、遊技球の跳ねやばたつきを抑制でき収容部内にある未入球の遊技球を遊技領域にスムーズに排出できるし、開閉部材を一旦第１方向に駆動させることで、収容部の開口と開閉部材との間で遊技球を挟むことを抑制することができる。よって、収容部の開口が開放されたままの状態となることを抑制できるので、必要以上の球が入口に入球することを抑制することができるという効果がある。
【手続補正１１】
【補正対象書類名】明細書
【補正対象項目名】００１５
【補正方法】変更
【補正の内容】
【００１５】
また、開閉部材が反第１方向へ駆動して、開閉部材が収容部から遊技領域方向に下降傾斜する位置となると、収容部内の遊技球は遊技領域に排出されると共に開閉下流部に受け止められた遊技球は収容部内に流入することなく遊技領域を流下する。よって、開閉部材が反第１方向へ駆動される際に、収容部に流入する遊技球数が減少するので、開閉上流部と収容部の開口との間に遊技球が挟まれることを抑制することができるという効果がある。よって、開閉部材の位置が入口に遊技球を案内する傾斜位置までは開閉部材を速く駆動させ、入口に遊技球を案内しない傾斜位置からは開閉部材の駆動を遅くすることが好ましい。これは、入口へ必要以上の球が入球することをより低減できるし、遊技球のばたつきも抑制できるので、収容部の開口と開閉部材との間で遊技球を挟むことを抑制できるからである。
【手続補正１２】
【補正対象書類名】明細書
【補正対象項目名】００１６
【補正方法】変更
【補正の内容】
【００１６】
また、遊技領域に打ち込まれる遊技球数に対して付与される遊技価値が予め定められている場合には、１回の開閉部材の開閉動作で入球する遊技球数にばらつきがあると、予め定めた遊技機の仕様とは異なる意図しない仕様の遊技機となってしまう。しかし、本遊技機によれば、１回の開閉動作で必要以上の遊技球が入口に入球することを抑制できるので、入球する遊技球数のばらつきを少なくでき、予め定めた遊技機の仕様に対して極端に異なる仕様の遊技機となることを低減することができるという効果がある。
【手続補正１３】
【補正対象書類名】明細書
【補正対象項目名】００１７
【補正方法】変更
【補正の内容】
【００１７】
また、開閉上流部および開閉下流部は、遊技球を入口に案内する案内面となるので、その案内面に汚れなどが付着していると遊技球がスムーズな動作ができずに、入球に時間がかかったり遊技球が詰まってしまう場合があるが、開閉部材が閉姿勢となると、開閉上流部および開閉下流部の案内面が遊技領域側に位置するので、汚れを発見した場合に簡単に除去が行える。よって、通路の汚れなどによって遊技球がスムーズに流れずに入球までに時間がかかったり遊技球が詰まったりすることを低減することができるという効果がある。また、例えば、遊技球が汚れなどにより開閉上流部または開閉下流部の案内面に付着してしまった場合には、遊技者が遊技を続行することで付着した遊技球と流下する遊技球が接触して、その付着した遊技球を自然に落下させることができる。よって、付着した遊技球を取り除くために遊技を中断する回数が少なくなるので、遊技者に不快感を与えることを低減する遊技機を提供することができるという効果がある。
【手続補正１４】
【補正対象書類名】明細書
【補正対象項目名】００１８
【補正方法】変更
【補正の内容】
【００１８】
また、開閉部材は、開姿勢の状態で遊技球を開閉下流部で受け止めるているので、遊技球が開閉下流部に衝突して生じる力は、開閉下流部が閉姿勢に回動する方向に作用する。従って、遊技球を受ける際に作用する力によって開閉部材の閉姿勢への回動の妨げとなることがないのでスムーズな閉動作が行え、必要以上の遊技球が入口に入球することを抑制することができるという効果がある。
【手続補正１５】
【補正対象書類名】明細書
【補正対象項目名】００１９
【補正方法】変更
【補正の内容】
【００１９】
ここで、従来の一枚扉のように、下端が回転軸となり上端が遊技領域側に回動する場合には、例えば、遊技領域の下方から板状部材（又は線状部材）などを侵入させ、一枚扉の上端に板状部材を引っ掛けて強制的に回動させて、必要以上の遊技球を入口に入球させる行為が行われることも考えられる。しかし、本遊技機によれば、開閉部材の上端に板状部材を引っ掛けて回動させようとした場合には、開閉下流部が遊技領域側に突出するように回動するので、板状部材の引っかかりを解除したり切断することができ、強制的に開閉部材を回動させる行為を困難にすることができる。よって、開閉部材が強制的に回動させられて必要以上の球が入口に入球させられる行為を低減することができるという効果がある。
【手続補正１６】
【補正対象書類名】明細書
【補正対象項目名】００２０
【補正方法】変更
【補正の内容】
【００２０】
請求項２記載の遊技機によれば、請求項１記載の遊技機の奏する効果に加え、開閉部材が反第１方向に駆動する場合には、入口に遊技球が案内される傾斜位置から遊技球が案内されない傾斜位置に開閉部材が駆動した後に、速度制御手段によって、開閉部材の駆動が少なくとも１回以上停止させられるので、その開閉部材が停止させられる際に遊技球が前側に移動し、開閉部材が閉姿勢へ回転駆動する際に開閉部材と収容部の開口との間に遊技球を挟んでしまうことを抑制できる。よって、収容部の開口が開放されたままの状態となることを抑制でき、必要以上の球が入口に入球することを抑制することができるという効果がある。
【手続補正１７】
【補正対象書類名】明細書
【補正対象項目名】００２１
【補正方法】変更
【補正の内容】
【００２１】
請求項３記載の遊技機によれば、請求項１又は２に記載の遊技機の奏する効果に加え、開閉部材が反第１方向に駆動する間に、速度制御手段によって開閉部材が第１方向へ少なくとも１回以上駆動するよう制御されるので、開閉部材と収容部の開口との間に遊技球を挟んでしまった場合でも、その第１方向への駆動により挟んでいる遊技球を遊技領域に排出することができる。よって、開閉部材と収容部の開口との間に遊技球が挟まれた状態となり収容部の開口が開放されたままの状態となることを低減できるので、必要以上の遊技球が入口に入球することを抑制することができるという効果がある。
【手続補正１８】
【補正対象書類名】明細書
【補正対象項目名】００２２
【補正方法】変更
【補正の内容】
【００２２】
また、開閉部材は、第１方向へ駆動される距離の方が、反第１方向へ駆動される距離より短くなっているので、一旦、反第１方向への駆動が開始された開閉部材は、第１方向に駆動したとしても開姿勢に戻ってしまうことがない。よって、開閉部材が反第１方向に駆動した後に第１方向に駆動したとしても、入口に遊技球が入球することを抑制することができるという効果がある。
【手続補正１９】
【補正対象書類名】明細書
【補正対象項目名】００２３
【補正方法】変更
【補正の内容】
【００２３】
請求項４記載の遊技機によれば、請求項１から３のいずれかに記載の遊技機の奏する効果に加え、速度制御手段により開閉部材の駆動速度が制御される範囲が、開姿勢から閉姿勢への全範囲より短い範囲に構成されているので、例えば、開閉部材の反第１方向への駆動速度が低速にされたり、開閉部材が一旦停止されたり、開閉部材が反第１方向へ駆動される際に第１方向へ駆動されたりする範囲を短くすることができる。よって、速度制御手段による制御を開姿勢から閉姿勢までの全範囲において行う場合と比較して、開閉部材が反第１方向へ駆動されてから閉姿勢になるまでの時間を短くできる。その結果、開閉部材が反第１方向に駆動されている間に収容部に流入する遊技球の数を減らすことができるので、必要以上の遊技球が入口に入球することを抑制することができるという効果がある。
【手続補正２０】
【補正対象書類名】明細書
【補正対象項目名】０３０４
【補正方法】変更
【補正の内容】
【０３０４】
１０              パチンコ機（遊技機）
１１０            主制御装置（駆動制御手段）
２０７            特定入賞口検出スイッチ（通過検出手段）
６５１，１６５１  開口（収容部の開口）
６６０，１６６０  開閉扉（開閉部材）
６６１，１６６１  回転軸
６６５            突出部
６６６，１６６６  溝（溝部）
６７２，１６７２  特定入賞口（入口の１つ）
６７４            駆動モータ（駆動手段）
６７７，１７７７  収容空間（収容部）
１７００          流入部材
Ａ                開閉扉の開姿勢への回動方向（第１方向）
Ｂ                開閉扉の閉姿勢への回動方向（反第１方向）
Ｘ                水平方向（第２方向）
Ｙ                上下方向（流下方向）